(57)【要約】【課題】メモリ容量の無駄な消費や追加実装作業をすることなく、アプリケーションの切り替え時において適切なバックライトの点灯を実現する。【解決手段】メインバックライト１０と、前記メインバックライト１０からの光の供給を受けて画像を表示するメインディスプレイ９と、サブディスプレイ１１と、前記メインディスプレイ９における画像表示を制御する機能を有する待受アプリケーション５ｃ及び前記サブディスプレイ１１における画像表示を制御する機能を有するサブメニューアプリケーション５ｄをそれぞれ実行させるアプリケーション実行部４とを備え、前記サブメニューアプリケーション５ｄの実行状態から前記待受アプリケーション５ｃの実行状態へと切り替わる場合に、前記アプリケーション実行部４が、前記メインバックライト１０の点灯を行う。【選択図】図１
2008085760.tif 000002
【特許請求の範囲】
【請求項１】
第１の発光手段と、
前記第１の発光手段からの光の供給を受けて画像を表示する第１の表示手段と、
第２の表示手段と、
前記第１の表示手段における画像表示を制御する機能を有する第１のアプリケーション及び前記第２の表示手段における画像表示を制御する機能を有する第２のアプリケーションをそれぞれ実行させるアプリケーション実行手段と、
を備え、
前記第２のアプリケーションの実行状態から前記第１のアプリケーションの実行状態へ
と切り替わる場合に、前記アプリケーション実行手段が、前記第１の発光手段の点灯を行う、
ことを特徴とする携帯端末。
【請求項２】
前記第１の発光手段、第１の表示手段及び第２の表示手段が設けられた第１の筐体と、
前記第１の筐体と開閉自在に連結された第２の筐体と、
を備え、
前記第１の表示手段は前記第１及び第２の筐体の閉状態において互いに対向する第１の筐体の表面に配されると共に、前記第２の表示手段は前記第１及び第２の筐体の閉状態において互いに対向する面以外の面に配されており、
前記第１の筐体と第２の筐体とが閉状態から開状態に変化すると、前記第２のアプリケーションの実行状態から前記第１のアプリケーションの実行状態へと切り替わる、
ことを特徴とする請求項１記載の携帯端末。
【請求項３】
前記第１の筐体と第２の筐体との開閉状態を検知する検知手段を備え、
前記アプリケーション実行手段は、前記検知手段から第１の筐体と第２の筐体とが閉状態から開状態に変化したことを示す信号を受信した場合に、前記第１の発光手段の点灯を行う、
ことを特徴とする請求項２記載の携帯端末。
【請求項４】
前記アプリケーション実行手段により実行され、前記第１の表示手段における画像表示を制御すると共に動作指示信号が所定時間入力されない場合に前記第１のアプリケーションから切り替えられる第３のアプリケーションを備え、
前記第３のアプリケーションから前記第１のアプリケーションへと切り替わる場合に、
前記アプリケーション実行手段が、前記第１の発光手段の消灯を行う、
ことを特徴とする請求項１〜３のいずれか一項に記載の携帯端末。
【発明の詳細な説明】
【技術分野】
【０００１】
本発明は、携帯端末に関し、特に複数のディスプレイを備えた携帯電話機などの携帯端末に関する。
【背景技術】
【０００２】
例えば、携帯電話機等の携帯端末には、複数のディスプレイを備え、ユーザの使用状況に応じて各ディスプレイの表示内容を切り替える機能を有するタイプのものがある（例えば下記特許文献１参照）。
【０００３】
以下、上記のような複数のディスプレイを備える携帯端末として、フォルダタイプの携帯電話機を例にして具体的に説明する。一般的に、フォルダタイプの携帯電話機は、操作キーやＣＰＵ、バッテリなどが設けられた第１の筐体と、大型のメインディスプレイ及び小型のサブディスプレイが設けられた第２の筐体とが開閉自在に連結された構造となっている。なお、以下では、上記第１の筐体と第２の筐体とが開閉することを、「フォルダが開閉する」と表現する。
【０００４】
上記サブディスプレイは、フォルダが閉じられた状態の時に外部からユーザが確認できるように第２の筐体の外面側に設置されており、また、メインディスプレイは、フォルダが開かれた状態の時にユーザが確認できるように第２の筐体の内面側に設置されている。
メインディスプレイは、例えばノーマリブラックモードの半透過型液晶ディスプレイであり、バックライトが消灯しても画像信号が供給されている限り、光の反射作用によって画像を認識可能である。サブディスプレイは、例えば有機ＥＬ(Electro Luminescence) ディスプレイである。
【０００５】
このような構造の携帯電話機で動作するアプリケーションは、メインディスプレイ上でのみ動作するメインアプリケーション（例えばメインメニューアプリケーションや待受アプリケーションなど）と、サブディスプレイ上でのみ動作するサブアプリケーション（サブメニューアプリケーションなど）とに区別される。フォルダが開かれた状態では、メインアプリケーション（具体的にはメインアプリケーションプログラムを実行しているＣＰＵ）によってメインディスプレイにおける画像表示が制御され、フォルダが閉じられた状態では、サブアプリケーション（具体的にはサブアプリケーションプログラムを実行しているＣＰＵ）によってサブディスプレイにおける画像表示が制御される。
【０００６】
図４は、フォルダの開閉に伴うアプリケーション及びディスプレイの切り替え動作を示すフローチャートである。なお、初期状態において、フォルダは開かれた状態となっており、メインディスプレイ上にはメインメニューアプリケーションによる表示制御によってメインメニュー画面が表示されているものとする。
【０００７】
まず、メインメニューアプリケーションは、操作キーによる操作入力がされないまま、所定時間（例えば３０秒）が経過したことを検出すると（ステップＳ２０）、メインメニュー画面の表示動作を終了する、つまり自身のアプリケーション動作を終了する（ステップＳ２１）。メインメニューアプリケーションが終了すると、待受復帰イベントが発生し、待受アプリケーションが起動する（ステップＳ２２）。待受アプリケーションは、起動後、メインディスプレイ上に待受画面を表示させる（ステップＳ２３）。この時、待受アプリケーションは、消費電力の抑制を目的として、メインディスプレイのバックライトを消灯する。ここで、メインメニューアプリケーションが待受アプリケーションの処理の前にバックライトを消灯させることもある。なお、バックライトは消灯しているが、待受画面はユーザに見えている状態である。
【０００８】
そして、待受アプリケーションは、フォルダが閉じられたことを検出すると（ステップＳ２４）、サブメニューアプリケーションを起動させる一方、待受画面の表示を終了して自身のアプリケーション動作を終了する（ステップＳ２５）。サブメニューアプリケーションは、起動後、サブディスプレイ上にサブメニュー画面を表示させる（ステップＳ２６）。
【０００９】
そして、サブメニューアプリケーションは、フォルダが開かれたことを検出すると（ステップＳ２７）、サブメニュー画面表示を終了して自身のアプリケーション動作を終了する（ステップＳ２８）。サブメニューアプリケーションが終了すると、待受復帰イベントが再発生し、待受アプリケーションが起動する（ステップＳ２９）。待受アプリケーションは、起動後、メインディスプレイ上に待受画面を表示させる（ステップＳ３０）。この時、待受アプリケーションは、メインディスプレイのバックライトを点灯しない（待受画面はユーザに見えている）。
【特許文献１】国際公開第２００３／０７７０９８号パンフレット
【発明の開示】
【発明が解決しようとする課題】
【００１０】
ところで、フォルダ閉状態からフォルダ開状態に切り替わる場合、つまりサブメニューアプリケーションから待受アプリケーションに切り替わる場合において、通常、ユーザはメインディスプレイ上で動作するメインアプリケーションを使用するためにフォルダを開くので、フォルダを開いた直後にメインディスプレイのバックライトが消灯していた場合、ユーザに違和感や不快感を与えてしまうことになる。一方、メインメニューアプリケーションから待受アプリケーションに切り替わる場合は、上記のように操作キーが操作されない場合、つまりユーザが携帯電話機を使用していない場合であるので、待受アプリケーションによってメインディスプレイのバックライトの消灯を行ってもユーザに違和感や不快感を与えることはなく、消費電力を抑制することができる。
【００１１】
すなわち、他のアプリケーションから待受アプリケーションに切り替わる場合において、メインディスプレイのバックライトを点灯させる場合と消灯させる場合があるにも関わらず、従来では、これらの区別を待受アプリケーションが判断することができず、上述したように、サブメニューアプリケーションから待受アプリケーションに切り替わる場合において、メインディスプレイのバックライトは点灯されなかった。
【００１２】
これは、従来ではフォルダの開閉状態の情報が、動作中（アクティブ状態）のアプリケーションだけに通知されるため、フォルダ閉状態からフォルダ開状態に切り替わる場合において、サブメニューアプリケーションはフォルダの開状態を認識することができるが、待受アプリケーションはフォルダの開状態を認識することができず、メインメニューアプリケーションからの復帰なのか、サブメニューアプリケーションからの復帰なのか判断できなかったからである。
【００１３】
この解決策として、待受アプリケーションに、メインディスプレイのバックライトを点灯させる場合と消灯させる場合とを区別する機能を実装する方法が考えられる。しかしながら、そのような機能を待受アプリケーションに実装したとしても、切り替わり元のアプリケーションが新たに追加された場合、その度に、追加されたアプリケーションに対応してメインディスプレイのバックライトを点灯させる場合と消灯させる場合を区別する機能を追加実装する必要がある。このような追加実装作業には膨大な時間とコストがかかり、さらに端末内部のメモリ容量が無駄に消費されることになる。
【００１４】
本発明は、上述した事情に鑑みてなされたものであり、上記のようなメモリ容量の無駄な消費や追加実装作業をすることなく、アプリケーションの切り替え時において適切なバックライトの点灯を実現することを目的とする。
【課題を解決するための手段】
【００１５】
上記目的を達成するために、本発明では、携帯端末に係る第１の解決手段として、第１の発光手段と、前記第１の発光手段からの光の供給を受けて画像を表示する第１の表示手段と、第２の表示手段と、前記第１の表示手段における画像表示を制御する機能を有する第１のアプリケーション及び前記第２の表示手段における画像表示を制御する機能を有する第２のアプリケーションをそれぞれ実行させるアプリケーション実行手段とを備え、前記第２のアプリケーションの実行状態から前記第１のアプリケーションの実行状態へと切り替わる場合に、前記アプリケーション実行手段が、前記第１の発光手段の点灯を行うことを特徴とする。
【００１６】
また、本発明では、携帯端末に係る第２の解決手段として、上記第１の解決手段において、前記第１の発光手段、第１の表示手段及び第２の表示手段が設けられた第１の筐体と、
前記第１の筐体と開閉自在に連結された第２の筐体とを備え、前記第１の表示手段は前記第１及び第２の筐体の閉状態において互いに対向する第１の筐体の表面に配されると共に、前記第２の表示手段は前記第１及び第２の筐体の閉状態において互いに対向する面以外の面に配されており、前記第１の筐体と第２の筐体とが閉状態から開状態に変化すると、前記第２のアプリケーションの実行状態から前記第１のアプリケーションの実行状態へと切り替わることを特徴とする。
【００１７】
また、本発明では、携帯端末に係る第３の解決手段として、上記第２の解決手段において、前記第１の筐体と第２の筐体との開閉状態を検知する検知手段を備え、前記アプリケーション実行手段は、前記検知手段から第１の筐体と第２の筐体とが閉状態から開状態に変化したことを示す信号を受信した場合に、前記第１の発光手段の点灯を行うことを特徴とする。
【００１８】
また、本発明では、携帯端末に係る第４の解決手段として、上記第１〜第３のいずれかの解決手段において、前記アプリケーション実行手段により実行され、前記第１の表示手段における画像表示を制御すると共に動作指示信号が所定時間入力されない場合に前記第１のアプリケーションから切り替えられる第３のアプリケーションを備え、前記第３のアプリケーションから前記第１のアプリケーションへと切り替わる場合に、前記アプリケーション実行手段が、前記第１の発光手段の消灯を行うことを特徴とする。
【発明の効果】
【００１９】
本発明によれば、アプリケーション実行手段が第１の発光手段の点灯を行うため、切替先である第１のアプリケーションに、第１の発光手段を点灯させる機能を実装する必要がないので、追加実装作業にかかる時間やコストを削除し、メモリ容量の無駄な消費を抑えることができると共に、アプリケーションの切り替え時において適切な第１の発光手段の点灯を実現することができる。
【発明を実施するための最良の形態】
【００２０】
以下、図面を参照して本発明の一実施形態について詳細に説明する。本実施形態では、携帯端末としてフォルダタイプの携帯電話機を例示して説明する。図１は、本実施形態における携帯端末Ｔの構成ブロック図である。この図１に示すように、本携帯端末Ｔは、通信部１、操作部２、通信制御部３、アプリケーション実行部４、記憶部５、フォルダ開閉検知部（検知手段）６、表示制御部７、バックライト制御部８、メインディスプレイ（第１の表示手段）９、メインバックライト（第１の発光手段）１０、サブディスプレイ（第２の表示手段）１１を備えている。
【００２１】
図２は、本携帯端末Ｔの外観図である。この図２に示すように、本携帯端末Ｔは、第１の筐体２０と第２の筐体３０とがヒンジ部４０によって開閉自在に連結されている。図１に示す構成要素の内、メインディスプレイ９、メインバックライト１０、サブディスプレイ１１は、第１の筐体２０に設けられており、また、通信部１、操作部２、通信制御部３、アプリケーション実行部４、記憶部５、フォルダ開閉検知部６、表示制御部７及びバックライト制御部８は、第２の筐体３０に設けられている。なお、以下では、上記第１の筐体２０と第２の筐体３０とが開閉することを、「フォルダが開閉する」と表現する。
【００２２】
上記サブディスプレイ１１は、フォルダが閉じられた状態の時に外部からユーザが確認できるように第１の筐体２０の裏面側に設置されており、また、メインディスプレイ９は、フォルダが開かれた状態の時にユーザが確認できるように第１の筐体２０の表面側に設置されている。また、操作部２は、フォルダが開かれた状態の時にユーザが操作できるように、第２の筐体３０の表面側に配置されている。メインバックライト１０は、第１の筐体２０の内部に収納されており、通信部１、通信制御部３、アプリケーション実行部４、記憶部５、フォルダ開閉検知部６、表示制御部７及びバックライト制御部８は、第２の筐体３０の内部に収納されている。
【００２３】
図１に戻って説明すると、通信部１は、通信制御部３による制御の下、通信制御部３から入力される送信用ベースバンド信号の誤り訂正符号化、変調、ＲＦ周波数帯への周波数変換を行った後、送信信号として図示しない基地局に送信する。また、この通信部１は、基地局から受信した信号をＩＦ周波数帯に周波数変換した後、復調、誤り訂正復号し、受信ベースバンド信号として通信制御部３に出力する。操作部２は、電源キー、各種ファンクションキー、テンキー等の操作キーから構成されており、これら操作キーによる操作入力に基づいた操作信号を通信制御部３に出力する。
【００２４】
通信制御部３は、記憶部５に記憶されている通信制御プログラム５ａや、通信部１から入力される受信ベースバンド信号、操作部２から入力される操作信号、アプリケーション実行部４から入力される制御信号やデータ信号に基づいて、本携帯端末Ｔの通信に関する機能を統括的に制御する。具体的には、この通信制御部３は、アプリケーション実行部４から入力される制御信号に基づいて、同じくアプリケーション実行部４から入力されるデータ信号を通信部１を介して基地局に送信したり、基地局から受信した信号（受信ベースバンド信号）に所定の信号処理を施してアプリケーション実行部４に出力する。また、この通信制御部３は、操作部２から入力される操作信号やその他の制御信号をアプリケーション実行部４に出力する。
【００２５】
アプリケーション実行部４は、通信制御部３から入力される操作信号、制御信号、データ信号などに基づいて、記憶部５に記憶されている各種アプリケーションプログラムを読み出し、これらのアプリケーションプログラムによって規定されるアプリケーションを実行する。上記アプリケーションとしては、メインディスプレイ９上でのみ動作するメインアプリケーション（例えばメインメニューアプリケーション５ｂや待受アプリケーション５ｃなど）と、サブディスプレイ１１上でのみ動作するサブアプリケーション（サブメニューアプリケーション５ｄなど）が記憶部５に記憶されている。
【００２６】
上記メインメニューアプリケーション５ｂは、メインディスプレイ９用のメインメニュー画面を生成したり、メインメニュー画面で受けたユーザからの指示入力の内容を実行したりするものであり、その他の特徴的な機能として、所定時間ユーザからの指示入力がない場合（操作部２からの操作信号がない場合）、上記待受アプリケーション５ｃに切り替わるという機能を有している。また、このメインメニューアプリケーション５ｂの機能として、所定時間ユーザからの指示入力がなく、上記待受アプリケーション５ｃに切り替わる場合に、バックライト制御部８を介してメインバックライト１０を消灯する機能を有する。
【００２７】
また、待受アプリケーション５ｃは、メインディスプレイ９用の待受画面を生成したり、待受画面で受けたユーザからの指示入力の内容を実行したりするものであり、その他の特徴的な機能として、フォルダ開閉検知部６からフォルダの閉状態を示す検知信号がアプリケーション実行部４に入力された場合に、上記サブメニューアプリケーション５ｄに切り替わるという機能を有している。また、本実施形態の動作ではないが、この待受アプリケーション５ｃの機能として、所定時間ユーザからの指示入力がない場合に、バックライト制御部８を介してメインバックライト１０を消灯する機能を有するとしても良い。
【００２８】
また、サブメニューアプリケーション５ｄは、サブディスプレ１１用のサブメニュー画面を生成したり、サブメニュー画面で受けたユーザからの指示入力の内容を実行したりするものであり、その他の特徴的な機能として、フォルダ開閉検知部６からフォルダの開状態を示す検知信号がアプリケーション実行部４に入力された場合に、上記待受アプリケーション５ｃに切り替わるという機能を有している。また、このサブメニューアプリケーション５ｄの機能として、上記待受アプリケーション５ｃに切り替わる場合に、アプリケーション実行部４に指示を出力してバックライト制御部８を介してメインバックライト１０を点灯する機能を有する。
【００２９】
このように、待受アプリケーション５ｃは、メインメニューアプリケーション５ｂ及びサブメニューアプリケーション５ｄにとって切替先のアプリケーションである。
【００３０】
アプリケーション実行部４は、上述した各アプリケーションの指示により各種処理の実行を行うと共に、当該実行に伴う画像データや表示制御信号を表示制御部７に出力し、バックライト制御信号をバックライト制御部８に出力する。
【００３１】
記憶部５は、上述した通信制御部３で使用される通信制御プログラム５ａや、アプリケーション実行部４で実行されるメインメニューアプリケーション５ｂ、待受アプリケーション５ｃ、サブメニューアプリケーション５ｄなどの各種アプリケーション、その他の各種データを記憶する。フォルダ開閉検知部６は、フォルダの開閉状態、つまり図２に示す第１の筐体２０と第２の筐体３０との開閉状態を検知し、当該開閉状態を示す検知信号をアプリケーション実行部４に出力する。
【００３２】
表示制御部７は、上記アプリケーション実行部４から入力される表示制御信号及び画像データに基づいて、この画像データに所定の画像処理を施した後、画像処理後の画像データをメインディスプレイ９またはサブディスプレイ１１に出力する。バックライト制御部８は、上記アプリケーション実行部４から入力されるバックライト制御信号に基づいて、メインバックライト１０に対する駆動電流の供給を制御することで、メインバックライト１０を点灯または消灯させる。
【００３３】
メインディスプレイ９及びサブディスプレイ１１は、表示制御部７から入力される画像データに基づいて、所定の画像を表示する。また、メインディスプレイ９は、例えばノーマリブラックモードの半透過型液晶ディスプレイであり、対応するバックライトが消灯しても画像データが供給されている限り、光の反射作用によって画像を認識可能に構成されている。メインバックライト１０は、バックライト制御部８から駆動電流の供給を受けることによって発光し、メインディスプレイ９に光を供給する。また、サブディスプレイ１１は、有機ＥＬ(Electro Luminescence) ディスプレイにより構成されている。
【００３４】
次に、上記のように構成された本携帯端末Ｔの動作について図３のフローチャートを用いて説明する。なお、初期状態において、フォルダは開かれた状態となっており、アプリケーション実行部４は、メインメニューアプリケーション５ｂを実行し、メインディスプレイ９上にはメインメニュー画面が表示されているものとする。
【００３５】
まず、メインメニューアプリケーション５ｂを実行しているアプリケーション実行部４は、操作キーによる操作入力がされないまま、つまり通信制御部３を介して操作信号が入力されないまま、所定時間（例えば３０秒）が経過したことを検出すると（ステップＳ１）、バックライト制御部８を制御し、メインバックライト１０を消灯する（ステップＳ２）。そして、アプリケーション実行部４は、表示制御部７を制御してメインメニュー画面の表示動作を終了する、つまりメインメニューアプリケーション５ｂの動作を終了する（ステップＳ３）。アプリケーション実行部４は、メインメニューアプリケーション５ｂが終了すると、記憶部５から待受アプリケーション５ｃを読み出し、待受アプリケーション５ｃを起動させる（ステップＳ４）。
【００３６】
待受アプリケーション５ｃの起動後、アプリケーション実行部４は、待受アプリケーション５ｃを実行し、表示制御部７を制御してメインディスプレイ９上に待受画面を表示させる（ステップＳ５）。なお、この時点でメインバックライト１０は消灯しているが、待受画面はユーザに見えている状態である。なお、前述のように、ステップＳ２の代わりに、待受アプリケーション５ｃがメインバックライト１０を消灯させる処理を追加しても良い。
【００３７】
次に、待受アプリケーション５ｃを実行しているアプリケーション実行部４は、フォルダ開閉検知部６からフォルダの閉状態を示す検知信号を受信すると（ステップＳ６）、待受画面の表示を終了して待受アプリケーション５ｃの動作を終了する（ステップ７）。そして、アプリケーション実行部４は、記憶部５からサブメニューアプリケーション５ｄを読み出し、サブメニューアプリケーション５ｄを起動させる（ステップＳ８）。サブメニューアプリケーション５ｄの起動後、アプリケーション実行部４は、サブメニューアプリケーション５ｄを実行し、表示制御部７を制御してサブディスプレイ１１上にサブメニュー画面を表示させる（ステップＳ９）。
【００３８】
続いて、サブメニューアプリケーション５ｄを実行しているアプリケーション実行部４は、フォルダ開閉検知部６からフォルダの開状態を示す検知信号を受信すると（ステップＳ１０）、バックライト制御部８を制御し、メインバックライト１０を点灯する（ステップＳ１１）。そして、アプリケーション実行部４は、サブメニューアプリケーション５ｄの動作を終了する（ステップＳ１２）。
【００３９】
そして、アプリケーション実行部４は、サブメニューアプリケーション５ｄが終了すると、記憶部５から待受アプリケーション５ｃを読み出し、待受アプリケーション５ｃを起動させる（ステップＳ１３）。待受アプリケーション５ｃの起動後、アプリケーション実行部４は、待受アプリケーション５ｃを実行し、表示制御部７を制御してメインディスプレイ９上に待受画面を表示させる（ステップＳ１４）。この時点でメインバックライト１０は点灯している。
【００４０】
以上のように、本実施形態における携帯端末Ｔでは、メインメニューアプリケーション５ｂから待受アプリケーション５ｃに切り替わる場合のようにメインバックライト１０を消灯する必要がある場合は、切替元のアプリケーションであるメインメニューアプリケーション５ｂによってメインバックライト１０を消灯させ、また、フォルダ閉状態からフォルダ開状態に切り替わる場合、つまりサブメニューアプリケーション５ｄから待受アプリケーション５ｃに切り替わる場合のようにメインバックライト１０を点灯する必要がある場合は、切替元のアプリケーションであるサブメニューアプリケーション５ｄによってメインバックライト１０を点灯させる。なお、メインバックライト１０の消灯は待受アプリケーション５ｃにより行われるとしても良い。
【００４１】
すなわち、本実施形態における携帯端末Ｔによれば、メインディスプレイ９への光の供給の要否に基づいて、切替元のアプリケーションがメインバックライト１０の点灯または消灯を行う機能を有するので、切替先である待受アプリケーション５ｃに、メインバックライト１０を点灯させる場合と消灯させる場合とを区別する機能を実装する必要がなく、追加実装作業にかかる時間やコストを削除し、メモリ容量の無駄な消費を抑えることができると共に、アプリケーションの切り替え時において適切なメインバックライト１０の点灯または消灯を実現することができる。
【００４２】
なお、上記実施形態では、切替先アプリケーションとして待受アプリケーション５ｃを例示し、切替元アプリケーションとしてメインメニューアプリケーション５ｂ及びサブメニューアプリケーション５ｄを例示して説明したが、これに限定されず、切替元アプリケーションから切替先アプリケーションに切り替わる際に、メインディスプレイ９のメインバックライト１０を点灯させる場合と消灯させる場合とを区別する必要のあるアプリケーションを使用する場合であれば本発明を適用することができる。例えば、サブメニューアプリケーション５ｄを切替元アプリケーションとし、メインメニューアプリケーション５ｂを切替先アプリケーションとしても良い。
【００４３】
また、上記実施形態では、携帯端末としてフォルダタイプの携帯電話機を例示して説明したが、これに限定されず、他の携帯端末であっても本発明を適用することができる。
【図面の簡単な説明】
【００４４】
【図１】本発明の一実施形態における携帯端末Ｔの構成ブロック図である。
【図２】本発明の一実施形態における携帯端末Ｔの外観図である。
【図３】本発明の一実施形態における携帯端末Ｔの動作フローチャートである。
【図４】従来の携帯端末の動作フローチャートである。
【符号の説明】
【００４５】
Ｔ…携帯端末、１…通信部、２…操作部、３…通信制御部、４…アプリケーション実行部（アプリケーション実行手段）、５…記憶部、５ａ…通信制御プログラム、５ｂ…メインメニューアプリケーション（第３のアプリケーション）、５ｃ…待受アプリケーション（第１のアプリケーション）、５ｄ…サブメニューアプリケーション（第２のアプリケーション）、６…フォルダ開閉検知部（検知手段）、７…表示制御部、８…バックライト制御部、９…メインディスプレイ（第１の表示手段）、１０…メインバックライト（第１の発光手段）、１１…サブディスプレイ（第２の表示手段）、２０…第１の筐体、３０…第２の筐体、４０…ヒンジ部
【図１】
2008085760.tif 000003
【図２】
2008085760.tif 000004
【図３】
2008085760.tif 000005
【図４】
2008085760.tif 000006